(57)【要約】【課題】本発明は、マザーボードの着脱作業を容易にする電子装置を提供することを目的とする。【解決手段】本発明に係る電子装置は、マザーボードと、底板と、固定部品と、を備える。マザーボードには複数の貫通孔が設けられ、各貫通孔は、通孔と、通孔に連通し且つ通孔より小さい固定孔とを備え、底板には複数の貫通孔に対応して複数の支持部が突設され、各支持部は、底板から突設される支持台と、ヘッドと、支持台と、ヘッドとの間に連接する連接部と、を備えている。固定部品は、底板に固定されるベースと、ベースにスライド可能に装着されるラッチ部とを備え、ヘッドは、通孔にそれぞれ挿通され、且つ対応する固定孔にそれぞれ係合され、マザーボードは、前記ヘッドと前記支持台との間に挟まれ、ラッチ部はマザーボードに向けてスライドされ、マザーボードの固定孔に隣接する端を当止する。【選択図】図５
2014154882.tif 000002
【特許請求の範囲】
【請求項１】
マザーボードと、
底板と、
固定部品と、
を備えてなる電子装置であって、
前記マザーボードには複数の貫通孔が設けられ、前記各貫通孔は、通孔と、前記通孔に連通し且つ前記通孔より小さい固定孔とを備え、
前記底板には前記複数の貫通孔に対応して複数の支持部が突設され、各支持部は、前記底板から突設される支持台と、ヘッドと、前記支持台と前記ヘッドとの間に連接する連接部と、を備え、
前記固定部品は、前記底板に固定されるベースと、前記ベースにスライド可能に装着されるラッチ部とを備え、
前記ヘッドは、前記通孔にそれぞれ挿通され、且つ対応する固定孔にそれぞれ係合され、前記マザーボードは、前記ヘッドと前記支持台との間に挟まれ、前記ラッチ部は、前記マザーボードに向けてスライドされ、前記マザーボードの前記固定孔に隣接する端を当止することを特徴とする電子装置。
【請求項２】
前記ベースの上面には突起部が突設され、前記ラッチ部は、本体と、前記マザーボードから離れて位置する前記本体の端に連接される連接部を備え、前記連接部の底面には、係合溝が設けられ、前記ラッチ部が前記マザーボードを当止する時、前記突起部は、前記係合溝に係合されることを特徴とする請求項１に記載の電子装置。
【請求項３】
前記ベースの両側にはスライドスロットがそれぞれ設けられ、前記ラッチ部の両側には、前記スライドスロットにそれぞれスライド可能に収容されるフック部がそれぞれ設置されることを特徴とする請求項１又は２に記載の電子装置。
【請求項４】
前記マザーボードから離れて位置する前記連接部の端には、上方へ延伸する操作部が設置されることを特徴とする請求項２又は３に記載の電子装置。
【請求項５】
前記連接部の底面にはブロックが突設され、前記係合溝は前記ブロックの底面に設けられ、前記ベースの上面には前記ブロックを収容する収容溝が設けられ、前記突起部は前記収容溝の底面に突設されることを特徴とする請求項２に記載の電子装置。
【発明の詳細な説明】
【技術分野】
【０００１】
本発明は、マザーボードを有する電子装置に関するものである。
【背景技術】
【０００２】
従来の技術において、マザーボードはネジによって電子装置のシャーシの底板に固定されるため、マザーボードの着脱作業は工具（例えば、ドライバー等）を使用して行なわなければならない。従って、マザーボードの着脱作業が煩雑であるという問題がある。
【発明の概要】
【発明が解決しようとする課題】
【０００３】
本発明の目的は、前記問題を解決し、マザーボードの着脱作業を容易にする電子装置を提供することである。
【課題を解決するための手段】
【０００４】
上記目的を達成するために、本発明に係る電子装置は、マザーボードと、底板と、固定部品と、を備える。前記マザーボードには複数の貫通孔が設けられ、前記各貫通孔は、通孔と、前記通孔に連通し且つ前記通孔より小さい固定孔とを備え、前記底板には前記複数の貫通孔に対応して複数の支持部が突設され、各支持部は、前記底板から突設される支持台と、ヘッドと、前記支持台と前記ヘッドとの間に連接する連接部と、を備え、前記固定部品は、前記底板に固定されるベース及び前記ベースにスライド可能に装着されるラッチ部を備え、前記ヘッドは、前記通孔にそれぞれ挿通され、且つ対応する固定孔にそれぞれ係合され、前記マザーボードは、前記ヘッドと前記支持台との間に挟まれ、前記ラッチ部は、前記マザーボードに向けてスライドされ、前記マザーボードの前記固定孔に隣接する端を当止する。
【発明の効果】
【０００５】
本発明に係る電子装置は、ヘッド及び支持部によってマザーボードの上下方向における移動を防ぎ、またラッチ部によってマザーボードの固定孔に隣接する端を当止し、マザーボードの底板と平行する方向における移動を防止することができる。従って、ネジを使用することなく、マザーボードを固定できる。
【図面の簡単な説明】
【０００６】
【図１】本発明の実施形態に係る電子装置の分解斜視図である。
【図２】図１に示す電子装置のＩＩ部分の拡大図である。
【図３】図１に示す電子装置の固定部品一部を別の角度から見た拡大図である。
【図４】図１に示す電子装置の組立斜視図である。
【図５】図４に示す電子装置の組立斜視図である。
【図６】図４に示す電子装置のＶＩ−ＶＩ線に沿った断面図である。
【発明を実施するための形態】
【０００７】
図１〜図３に示したように、本発明の実施形態に係る電子装置は、マザーボード１０と、底板２０と、２つの固定部品３０と、を備える。
【０００８】
マザーボード１０には、複数の貫通孔１２が設けられている。各貫通孔１２は、通孔１２０と、通孔１２０と連通し且つ通孔１２０より小さい固定孔１２２とを備える。
【０００９】
底板２０の上面には、複数の貫通孔１２に対応する複数の支持部２２及び２対の固定柱２４が突設されている。各支持部２２は、底板２０に連接された支持台２２０と、ヘッド２２２と、ヘッド２２２と支持台２２０との間に連接された連接部２２４と、を備える。ヘッド２２２の直径は連接部２２４の直径より大きいが、支持台２２０の直径より小さい。
【００１０】
各固定部品３０は、矩形のベース３２及びラッチ部３４を備える。
【００１１】
各ベース３２の両側には、スライドスロット３２２がそれぞれ設けられている。各ベース３２の第一端の両側には、固定片３２４がそれぞれ突設され、各固定片３２４には、装着孔３２６がそれぞれ設けられている。ベースの第二端（第一端の反対側に位置する端）の底部からは、延伸片３３２が延出しており、延伸片３３２の上面には、スライドスロット３２２に対して平行に設けられたガイドバー３３４が突設されている。ベース３２の上面には、スライドスロット３２２に対して平行に位置する収容溝３２８が設けられており、収容溝３２８の底面には、スライドスロット３２２に対して垂直に交差するように位置した突起部３３０が突設されている。突起部３３０のベース３２の両端に面する側面は、それぞれ斜面である。
【００１２】
ラッチ部３４は、本体３４０と、本体３４０の第一端の両側に設置された突出片３４２と、本体３４０の第一端から下方へ延伸する係合部３６と、本体３４０の第二端から下方へ延伸する支持板３４４と、を備える。各突出片３４２は、下方へ延伸するフック部３４６を備える。支持板３４４の底面には、ガイドバー３３４に対応するガイドスロット３４８が設けられている。係合部３６は、本体３４０の支持板３４４から離れて位置した端に連接する連接部３６０と、連接部３６０から上方へ延伸する操作部３６２と、連接部３６０の底面に突設されるブロック部３６３と、を備える。操作部３６２の外側には、滑り止め部３６６が設けられている。ブロック部３６３の底面には、係合溝３６４が設けられている。支持板３４４と平行する係合溝３６４の両内壁は斜面を呈する。フック部３４６は、スライドスロット３２２にそれぞれスライド可能に係合され、ラッチ部３４をベース３２にスライド可能に装着する。この時、ガイドバー３３４はガイドスロット３４８にスライド可能に収容され、ブロック３６３は収容溝３２８内に収容される。
【００１３】
図４〜図６を併せて参照すると、各固定部品３０を底板２０に装着する際、２つのネジ４０それぞれを装着孔３２６内に貫通させてベース３２を底板２０の２つの固定柱２４に螺合させ、装着孔３２６が支持部２２から離れるように固定部品３０を底板２０に固定する。
【００１４】
マザーボード１０を固定する際、固定孔１２２が固定部品３０に隣接するようにマザーボード１０を底板２０の上に位置させる。次いで、支持部２２のヘッド２２２をマザーボード１０の通孔１２０を貫通させるように、マザーボード１０を底板２０に向けて移動させると、マザーボード１０は支持台２２０の上面に当接され且つ支持される。次いで、固定部品３０と離れるようにマザーボード１０を移動させると、連接部２２４は固定孔１２２内にそれぞれ係合される。この時、連接部２２４は、対応する固定孔１２２の通孔１２０から離れて位置する内壁に当止され、マザーボード１０はヘッド２２２と支持台２２０との間に挟まれる。
【００１５】
次に、マザーボード１０に向けて固定部品３０のラッチ部３４をそれぞれスライドさせると、フック部３４６は、対応するスライドスロット３２２に沿ってそれぞれスライドし、支持板３４４はガイドバー３３４に沿ってそれぞれスライドする。突起部３３０が対応する係合溝３６４にそれぞれ係合されると、本体３４０の第二端はマザーボード１０の固定孔１２２と隣接する端に当接する。これによって、マザーボード１０が固定部品３０に向けて移動し、連接部２２４が固定孔１２２から退出することを防止することができる。この時、支持板３４４は、マザーボード１０と底板２０との間に挿入され、マザーボード１０を支持する。
【００１６】
マザーボード１０を取り外す際、マザーボード１０に向けて操作部３６２をそれぞれ回転し、突起部３３０を対応する係合溝３６４からそれぞれ退出させる。これによって、マザーボード１０から離れるようにラッチ部３４をスライドさせ、次いで、マザーボード１０を固定部品３０に向けて移動し、連接部２２４を通孔１２０内に収容させると、マザーボード１０を底板２０から離れるように取り外すことができる。
【符号の説明】
【００１７】
１０  マザーボード
１２  貫通孔
１２０  通孔
１２２  固定孔
２０  底板
２２  支持部
２２０  支持台
２２２  ヘッド
２２４  連接部
２４  固定柱
３０  固定部品
３２  ベース
３２２  スライドスロット
３２４  固定片
３２６  装着孔
３２８  収容溝
３３０  突起部
３３２  延伸片
３３４  ガイドバー
３４  ラッチ部
３４０  本体
３４２  突出片
３４４  支持板
３４６  フック部
３４８  ガイドスロット
３６  係合部
４０  ネジ
３６０  連接部
３６２  操作部
３６３  ブロック
３６４  係合溝
３６６  滑り止め部
【図１】
2014154882.tif 000003
【図２】
2014154882.tif 000004
【図３】
2014154882.tif 000005
【図４】
2014154882.tif 000006
【図５】
2014154882.tif 000007
【図６】
2014154882.tif 000008